(57)【要約】【課題】画素の充電時間を増加させて、表示装置の画質を向上させると同時に、液晶表示装置の光視認性を確保することのできる液晶表示装置を提供する。【解決手段】基板と、前記基板上に形成され、列方向に隣接する第１、第２、及び第３画素電極と、前記第１、第２、及び第３画素電極と各々接続される第１、第２、及び第３ゲート線と、前記第１、第２、及び第３ゲート線と交差して、前記第１、第２、及び第３画素電極と各々接続される第１、第２、及び第３データ線とを有し、前記第１乃至第３画素電極は、傾斜方向が互いに異なる少なくとも２つの平行四辺形の電極片を各々含み、前記第１乃至第３データ線のうちの少なくとも２つのデータ線は、前記第１乃至第３画素電極とオーバーラップし、前記第１乃至第３ゲート線は、互いに接続される。【選択図】      図３
2007226243.tif 000002
【特許請求の範囲】
【請求項１】
基板と、
前記基板上に形成され、列方向に隣接する第１、第２、及び第３画素電極と、
前記第１、第２、及び第３画素電極と各々接続される第１、第２、及び第３ゲート線と、
前記第１、第２、及び第３ゲート線と交差して、前記第１、第２、及び第３画素電極と各々接続される第１、第２、及び第３データ線とを有し、
前記第１乃至第３画素電極は、傾斜方向が互いに異なる少なくとも２つの平行四辺形の電極片を各々含み、
前記第１乃至第３データ線のうちの少なくとも２つのデータ線は、前記第１乃至第３画素電極とオーバーラップし、
前記第１乃至第３ゲート線は、互いに接続されることを特徴とする液晶表示装置。
【請求項２】
複数の単色光源を含み、前記基板に光を照射する光源部をさらに有することを特徴とする請求項１に記載の液晶表示装置。
【請求項３】
前記単色光源は、互いに異なる３つ色相の光を出射することを特徴とする請求項２に記載の液晶表示装置。
【請求項４】
前記単色光源は、赤色、緑色、及び青色の光を出射することを特徴とする請求項３に記載の液晶表示装置。
【請求項５】
前記単色光源は、発光ダイオードを含むことを特徴とする請求項４に記載の液晶表示装置。
【請求項６】
前記第１乃至第３データ線は、前記平行四辺形の電極片の傾斜方向に沿って少なくとも一度屈曲していることを特徴とする請求項１に記載の液晶表示装置。
【請求項７】
前記第１乃至第３画素電極のうちの少なくとも１つの画素電極には、前記第１乃至第３データ線のうちの少なくとも一部分を露出させる複数の切開部が形成されることを特徴とする請求項１に記載の液晶表示装置。
【請求項８】
前記第１乃至第３ゲート線には、同一のゲート信号が印加されることを特徴とする請求項１に記載の液晶表示装置。
【請求項９】
前記ゲート信号は、１水平周期（１Ｈ）の間はゲートオン信号が印加されることを特徴とする請求項８に記載の液晶表示装置。
【請求項１０】
前記画素電極と対向する共通電極をさらに有し、
前記共通電極は、傾斜方向決定部材を含むことを特徴とする請求項１に記載の液晶表示装置。
【請求項１１】
前記傾斜方向決定部材は、前記平行四辺形の電極片の傾斜方向に沿って列方向に切開部が延長され形成されることを特徴とする請求項１０に記載の液晶表示装置。
【請求項１２】
前記第１乃至第３画素電極と前記第１乃至第３データ線との間に形成される有機膜をさらに有することを特徴とする請求項１に記載の液晶表示装置。
【発明の詳細な説明】
【技術分野】
【０００１】
本発明は、液晶表示装置に関し、より詳細には、時間分割色相表示方式の液晶表示装置に関する。
【背景技術】
【０００２】
液晶表示装置は、一般に、共通電極やカラーフィルタが形成されている上部表示板及び薄膜トランジスタや画素電極が形成されている下部表示板、そしてこれら２つの表示板の間に形成されている液晶層を含む。画素電極及び共通電極に電位差を与えると液晶層に電場が生成され、この電場によって液晶分子の配向方向が決定される。液晶分子の配向方向によって入射光の透過率が決定されるので、２つの電極の間の電位差を調節することによって、所望の画像を表示することができる。
【０００３】
このような液晶表示装置では、色相の表示を実現するために、各画素が赤色、緑色、及び青色などの基本色のうちのいずれか１つを表示したり、全ての画素が時間によって交互に赤色、緑色、及び青色などの基本色を表示する。前者の場合を空間分割方式といい、後者の場合を時間分割方式という。
【０００４】
空間分割方式の場合には、赤色、緑色、及び青色のカラーフィルタを画素電極に対応する領域に各々装着して、色相を表示することができるようにする。この場合、発光ダイオード（ＬＥＤ）、冷陰極蛍光ランプ（ＣＣＦＬ、ｃｏｌｄ  ｃａｔｈｏｄｅ  ｆｌｕｏｒｅｓｃｅｎｔ  ｌａｍｐ）などの白色光源からの光を液晶層及びカラーフィルタを通過させて、該当する色相を表示することができる。
【０００５】
時間分割方式の場合には、各色相の光を発光する光源を別々に設置して、液晶表示装置の色相の表示を実現する。
このような時間分割方式は、ゲート駆動部及びデータ駆動部の動作によって全ての画素を走査した後で赤色光源を点灯させ、再び全ての画素を走査した後で緑色光源を点灯させ、最後にもう一度全ての画素を走査した後で青色光源を点灯させるので、空間分割方式での１つのフレーム（ｆｒａｍｅ）の時間（約１６．６ｍｓ）の間に赤色、緑色、及び青色に対して３度、つまり３つのフレーム（以下、サブフレームとする）がなければならない。したがって、各サブフレームの時間は、空間分割方式での１つのフレームの１／３である約５．５ｍｓ以下に減少するようになる。
【０００６】
したがって、約５．５ｍｓの短時間の間に画素を走査して光源を点灯させなければならないので、カラーフィルタを利用する場合より３倍以上速い速度で走査動作及び光源の点灯動作を行わなければならない。それによって、液晶キャパシタの電荷充電時間が減少するという問題点があり、特に、このような問題は、液晶表示装置の大きさが大型化されるほどより深刻化する。また、光源の点灯時間も短くなるので、所望の色相を表示することができないという問題がある。
【発明の開示】
【発明が解決しようとする課題】
【０００７】
そこで、本発明は上記従来の時間分割方式の液晶表示装置における問題点に鑑みてなされたものであって、本発明の目的は、画素の充電時間を増加させて、表示装置の画質を向上させると同時に、液晶表示装置の光視認性を確保することのできる液晶表示装置を提供する。
【課題を解決するための手段】
【０００８】
上記目的を達成するためになされた本発明による液晶表示装置は、基板と、前記基板上に形成され、列方向に隣接する第１、第２、及び第３画素電極と、前記第１、第２、及び第３画素電極と各々接続される第１、第２、及び第３ゲート線と、前記第１、第２、及び第３ゲート線と交差して、前記第１、第２、及び第３画素電極と各々接続される第１、第２、及び第３データ線とを有し、前記第１乃至第３画素電極は、傾斜方向が互いに異なる少なくとも２つの平行四辺形の電極片を各々含み、前記第１乃至第３データ線のうちの少なくとも２つのデータ線は、前記第１乃至第３画素電極とオーバーラップし、前記第１乃至第３ゲート線は、互いに接続されることを特徴とする。
【０００９】
複数の単色光源を含み、前記基板に光を照射する光源部をさらに有することが好ましい。
前記単色光源は、互いに異なる３つ色相の光を出射することが好ましい。
前記単色光源は、赤色、緑色、及び青色の光を出射することが好ましい。
前記単色光源は、発光ダイオードを含むことが好ましい。
前記第１乃至第３データ線は、前記平行四辺形の電極片の傾斜方向に沿って少なくとも一度屈曲していることが好ましい。
前記第１乃至第３画素電極のうちの少なくとも１つの画素電極には、前記第１乃至第３データ線のうちの少なくとも一部分を露出させる複数の切開部が形成されることが好ましい。
前記第１乃至第３ゲート線には、同一のゲート信号が印加されることが好ましい。
前記ゲート信号は、１水平周期（１Ｈ）の間はゲートオン信号が印加されることが好ましい。
前記画素電極と対向する共通電極をさらに有し、前記共通電極は、傾斜方向決定部材を含むことが好ましい。
前記傾斜方向決定部材は、前記平行四辺形の電極片の傾斜方向に沿って列方向に切開部が延長され形成されることが好ましい。
前記第１乃至第３画素電極と前記第１乃至第３データ線との間に形成される有機膜をさらに有することが好ましい。
【発明の効果】
【００１０】
本発明に係る液晶表示装置によれば、時間分割方式の液晶表示装置で充電時間を十分に確保することができ、広視野角を実現することができるという効果がある。
【発明を実施するための最良の形態】
【００１１】
次に、本発明に係る液晶表示装置を実施するための最良の形態の具体例を図面を参照しながら説明する。
【００１２】
図面では、各層及び領域を明確に表現するために、厚さを拡大して示した。明細書全体を通して類似した部分には、同一な図面符号を付けた。層、膜、領域、板などの部分が他の部分の「上」にあるとする時、これは他の部分の「真上」にある場合だけでなく、その中間に他の部分がある場合も意味する。反対に、ある部分が他の部分の「真上」にあるとする時、これはその中間に他の部分がない場合を意味する。
【００１３】
まず、図１〜図３を参照して、本発明の一実施形態による液晶表示装置について詳細に説明する。
図１は本発明の一実施形態による液晶表示装置のブロック図であり、図２は本発明の一実施形態による液晶表示装置の１つの画素に対する等価回路図である。
【００１４】
図１に示すように、本発明の一実施形態による液晶表示装置は、液晶表示板組立体（ｌｉｑｕｉｄ  ｃｒｙｓｔａｌ  ｐａｎｅｌ  ａｓｓｅｍｂｌｙ）３００、これと接続されているゲート駆動部４００及びデータ駆動部５００、データ駆動部５００と接続されている階調電圧生成部８００、液晶表示板組立体３００に光を供給する光源部９５０、光源部９５０と接続されている光源駆動部９１０、そしてこれらを制御する信号制御部６００を含む。
【００１５】
液晶表示板組立体３００は、等価回路で見る時、複数の信号線（Ｇ１１、Ｇ１２、Ｇ１３、Ｇ２１、・・・、Ｇｎ３、Ｄ１１、Ｄ１２、Ｄ１３、Ｄ２１、・・・、Ｄｍ３）及びこれらと接続され、ほぼ行列形態に配列されている複数の画素（ｐｉｘｅｌ）を含む。一方、液晶表示板組立体３００は、図２に示すように、構造で見る時、互いに対向する下部及び上部表示板１００、２００、そしてその間に形成されている液晶層３を含む。
【００１６】
信号線（Ｇ１１、Ｇ１２、Ｇ１３、Ｇ２１、・・・、Ｇｎ３、Ｄ１１、Ｄ１２、Ｄ１３、Ｄ２１、・・・、Ｄｍ３）は、ゲート信号（走査信号ともいう）を伝達する複数のゲート線（Ｇ１１、Ｇ１２、Ｇ１３、Ｇ２１、・・・、Ｇｎ３）及びデータ信号を伝達する複数のデータ線（Ｄ１１、Ｄ１２、Ｄ１３、Ｄ２１、・・・、Ｄｍ３）を含む。
【００１７】
ゲート線（Ｇ１１、Ｇ１２、Ｇ１３、Ｇ２１、・・・、Ｇｎ３）は、ほぼ行方向にのびて、互いにほぼ平行であって、所定の個数のゲート線を含むゲート線群の単位でゲート駆動部４００の出力端子と接続されている。図１に示すように、所定の個数が３である場合、３つのゲート線（Ｇ１１、Ｇ１２、Ｇ１３）を含む第１ゲート線群は、ゲート駆動部４００の第１出力端子と接続されており、３つのゲート線（Ｇｎ１、Ｇｎ２、Ｇｎ３）を含むｎ番目のゲート線群は、ゲート駆動部４００の最後の出力端子と接続されている。本実施形態では、１つのゲート線群が３つのゲート線を含むが、ゲート線の個数はこれに限定されずに変更することができる。
【００１８】
データ線（Ｄ１１、Ｄ１２、Ｄ１３、Ｄ２１、・・・、Ｄｍ３）は、ほぼ列方向にのびて、互いにほぼ平行であって、少なくとも一部が画素を横切っている。
各画素は、１つのゲート線、例えば第１ゲート線群の第２ゲート線（Ｇ１２）及び１つのデータ線、例えば第３データ線（Ｄ１３）と接続されているスイッチング素子（Ｑ）、そしてこれと接続されている液晶キャパシタ（ｌｉｑｕｉｄ  ｃｒｙｓｔａｌ  ｃａｐａｃｉｔｏｒ）（Ｃｌｃ）及びストレージキャパシタ（ｓｔｏｒａｇｅ  ｃａｐａｃｉｔｏｒ）（Ｃｓｔ）を含む。ストレージキャパシタ（Ｃｓｔ）は、必要に応じて省略することができる。
【００１９】
スイッチング素子（Ｑ）は、下部表示板１００に形成される薄膜トランジスタなどの三端子素子であって、その制御端子はゲート線（Ｇ１２）と接続されており、入力端子はデータ線（Ｄ１３）と接続されており、出力端子は液晶キャパシタ（Ｃｌｃ）及びストレージキャパシタ（Ｃｓｔ）と接続されている。
【００２０】
液晶キャパシタ（Ｃｌｃ）は、下部表示板１００の画素電極１９１及び上部表示板２００の共通電極２７０を２つの端子とし、２つの電極（１９１、２７０）の間の液晶層３は、誘電体として機能する。画素電極１９１は、スイッチング素子（Ｑ）と接続されており、共通電極２７０は、上部表示板２００の全面に形成されていて、共通電圧（Ｖｃｏｍ）の印加を受ける。図２とは異なって、共通電極２７０は、下部表示板１００に形成することもでき、この場合には、２つの電極（１９１、２７０）のうちの少なくとも１つが線状または棒状に形成されうる。
液晶キャパシタ（Ｃｌｃ）の補助的な機能をするストレージキャパシタ（Ｃｓｔ）は、下部表示板１００に形成された別個の信号線（図示せず）及び画素電極１９１が絶縁体を間においてオーバーラップして形成され、この別個の信号線には、共通電圧（Ｖｃｏｍ）などの決められた電圧が印加される。しかし、ストレージキャパシタ（Ｃｓｔ）は、画素電極１９１及びその真上の前段ゲート線が絶縁体を間においてオーバーラップして形成されることもできる。
【００２１】
データ線（Ｄ１１、Ｄ１２、Ｄ１３、Ｄ２１、・・・、Ｄｍ３）は、所定の個数のデータ線を含む複数のデータ線群からなり、データ線群の各データ線及びスイッチング素子（Ｑ）の接続関係は、ゲート線群の各ゲート線及びスイッチング素子（Ｑ）の接続関係に応じて変化する。つまり、データ線群の第１データ線はゲート線群の第１ゲート線と接続されているスイッチング素子と接続されており、第２データ線はゲート線群の第２ゲート線と接続されているスイッチング素子と接続されており、以下、このような方法で、データ線群のデータ線及び当該スイッチング素子が接続された後、最後のデータ線はゲート線群の最後のゲート線と接続されているスイッチング素子と接続される。
【００２２】
これによって、ゲート線群のゲート線の個数及びデータ線群のデータ線の個数は同一である。したがって、図１に示すように、１つのデータ線群は３つのデータ線を含み、データ線群の第１データ線（Ｄ１１、Ｄ２１、Ｄ３１）はゲート線群の第１ゲート線（Ｇ１１、Ｇ２１、Ｇ３１）と接続されているスイッチング素子（Ｑ）と接続されており、第２データ線（Ｄ１２、Ｄ２２、Ｄ３２）はゲート線群の第２ゲート線（Ｇ１２、Ｇ２２、Ｇ３２）と接続されているスイッチング素子（Ｑ）と接続されており、第３データ線（Ｄ１３、Ｄ２３、Ｄ３３）はゲート線群の第３ゲート線（Ｇ１３、Ｇ２３、Ｇ３３）と接続されているスイッチング素子（Ｑ）と接続されている。この場合、１つのデータ線群に属する３つのデータ線のうちの第１及び第２データ線（Ｄ１１、Ｄ１２、Ｄ２１、Ｄ２２）の２つのデータ線は、画素電極１９１を横切る。しかし、これとは異なって、全てのデータ線が画素電極を横切ったり、データ線群に含まれる第１及び最後のデータ線を除く他のデータ線だけが画素電極を横切ることもできる。
【００２３】
図１で、スイッチング素子（Ｑ）は画素電極１９１の下側に形成されているが、これとは異なって、画素電極１９１の上側に形成されることもでき、ゲート線（Ｇ１１、Ｇ１２、Ｇ１３、Ｇ２１、・・・、Ｇｎ３）は画素電極１９１の下側に形成されているが、画素電極１９１の上側に形成されることもできる。また、データ線（Ｄ１１、Ｄ１２、Ｄ１３、Ｄ２１、・・・、Ｄｍ３）はスイッチング素子（Ｑ）の右側に配置されているが、これとは異なって、左側に配置されることもできる。
液晶表示板組立体３００の外側面には、光を偏光させる少なくとも１つの偏光板（図示せず）が付着されている。
【００２４】
再び図１を参照すると、階調電圧生成部８００は、画素の透過率に関する２組の階調電圧の集合（または基準階調電圧の集合）を生成する。２組のうちの１組は共通電圧（Ｖｃｏｍ）に対して正の値を有し、他の１組は負の値を有する。
【００２５】
ゲート駆動部４００は、液晶表示板組立体３００のゲート線（Ｇ１１、Ｇ１２、Ｇ１３、Ｇ２１、・・・、Ｇｎ３）と接続されて、ゲートオン電圧（Ｖｏｎ）及びゲートオフ電圧（Ｖｏｆｆ）の組み合わせからなるゲート信号をゲート線（Ｇ１１、Ｇ１２、Ｇ１３、Ｇ２１、・・・、Ｇｎ３）に印加する。同一のゲート線群に含まれる３つのゲート線には、同一のゲート信号が印加される。
【００２６】
データ駆動部５００は、液晶表示板組立体３００のデータ線（Ｄ１１、Ｄ１２、Ｄ１３、Ｄ２１、・・・、Ｄｍ３）と接続されて、階調電圧生成部８００からの階調電圧を選択して、これをデータ信号としてデータ線（Ｄ１１、Ｄ１２、Ｄ１３、Ｄ２１、・・・、Ｄｍ３）に印加する。しかし、階調電圧生成部８００が全ての階調に対する階調電圧を提供せずに、決められた数の基準階調電圧のみを提供する場合には、データ駆動部５００は、基準階調電圧を分圧して全ての階調に対する階調電圧を生成して、これらの中からデータ信号を選択する。
【００２７】
光源部９５０は、発光ダイオードなどでからなって、基本色を各々表示する複数の光源９５１、９５２、９５３を含む。基本色の例としては、赤色、緑色、青色などの三原色がある。赤色、緑色、及び青色用光源を順次に点灯させて、各画素（ＰＸ）が時間によって交互に基本色を表示するようにして（時間分割）、これら基本色の空間的、時間的合計によって所望の色相が認識されるようにする。
光源駆動部９１０は、光源部９５０の点灯動作を制御する。
信号制御部６００は、ゲート駆動部４００、データ駆動部５００、及び光源駆動部９１０などを制御する。
【００２８】
このような駆動装置（４００、５００、６００、８００、９１０）は、少なくとも１つの集積回路チップの形態で液晶表示板組立体３００上に直接装着されたり、フレキシブル印刷回路フィルム（ｆｌｅｘｉｂｌｅ  ｐｒｉｎｔｅｄ  ｃｉｒｃｕｉｔ  ｆｉｌｍ）（図示せず）上に装着されてＴＣＰ（ｔａｐｅ  ｃａｒｒｉｅｒ  ｐａｃｋａｇｅ）の形態で液晶表示板組立体３００に付着されたり、別途の印刷回路基板（ｐｒｉｎｔｅｄ  ｃｉｒｃｕｉｔ  ｂｏａｒｄ）（図示せず）上に装着される。これとは異なって、これら駆動装置（４００、５００、６００、８００、９１０）は、信号線（Ｇ１１、Ｇ１２、Ｇ１３、Ｇ２１、・・・、Ｇｎ３、Ｄ１１、Ｄ１２、Ｄ１３、Ｄ２１、・・・、Ｄｍ３）及び薄膜トランジスタなどのスイッチング素子（Ｑ）などと共に液晶表示板組立体３００に直接集積することもできる。また、駆動装置（４００、５００、６００、８００、９１０）は、単一チップに集積することもでき、この場合、これらのうちの少なくとも１つまたはこれらを構成する少なくとも１つの回路素子は、単一チップの外側に位置することができる。
【００２９】
次に、図３〜図６を参照して、本発明の一実施形態による液晶表示装置の液晶表示板組立体について説明する。
図３は本発明の一実施形態による液晶表示装置の液晶表示板組立体の配置図であり、図４及び図５は各々図３の液晶表示板組立体のＩＶ−ＩＶ線及びＶ−Ｖ線に沿って切断した断面図であり、図６（ａ）及び（ｂ）は図３に示した液晶表示板組立体の画素電極を示した平面図である。
【００３０】
図３〜図５を参照すれば、本発明の一実施形態による液晶表示板組立体は、下部表示板（以下、薄膜トランジスタ表示板と記す）１００、上部表示板（以下、共通電極表示板と記す）２００、及びこれら２つの表示板（１００、２００）の間に形成されている液晶層３を含む。
【００３１】
まず、薄膜トランジスタ表示板１００について詳細に説明する。
透明なガラスなどからなる絶縁基板１１０上に複数のゲート線（ｇａｔｅ  ｌｉｎｅ）１２１が形成されている。
ゲート線１２１は、ゲート信号を伝達し、主に横方向にのびている。各ゲート線１２１は、上下に突出した複数のゲート電極（ｇａｔｅ  ｅｌｅｃｔｒｏｄｅ）１２４及び他の層またはゲート駆動部４００との接続のために面積が広い端部１２９を含む。
【００３２】
ゲート線１２１は、互いに隣接する３つのゲート線１２１ａ、１２１ｂ、１２１ｃを含み、３つのゲート線１２１ａ、１２１ｂ、１２１ｃは、連結部１２２を通じて互いに接続され、面積が広い１つの端部１２９を共有する。したがって、ゲート駆動部４００の数が減少する。
【００３３】
ゲート線１２１は、アルミニウム（Ａｌ）やアルミニウム合金などのアルミニウム系金属、銀（Ａｇ）や銀合金などの銀系金属、銅（Ｃｕ）や銅合金などの銅系金属、モリブデン（Ｍｏ）やモリブデン合金などのモリブデン系金属、クロム（Ｃｒ）、タンタル（Ｔａ）、及びチタニウム（Ｔｉ）などからなることができる。しかし、これらは物理的性質が異なる２つの導電膜（図示せず）を含む多重膜構造からなることもできる。このうちの１つの導電膜は、信号遅延や電圧降下を減少させることができるように、比抵抗（ｒｅｓｉｓｔｉｖｉｔｙ）が低い金属、例えばアルミニウム系金属、銀系金属、銅系金属などからなる。
【００３４】
これとは異なって、他の導電膜は、他の物質、特にＩＴＯ（ｉｎｄｉｕｍ  ｔｉｎ  ｏｘｉｄｅ）及びＩＺＯ（ｉｎｄｉｕｍ  ｚｉｎｃ  ｏｘｉｄｅ）との物理的、化学的、電気的接触特性が優れている物質、例えばモリブデン系金属、クロム、チタニウム、タンタルなどからなる。これらの組合わせの好ましい例としては、クロムの下部膜及びアルミニウム（合金）の上部膜や、アルミニウム（合金）の下部膜及びモリブデン（合金）の上部膜がある。しかし、ゲート線１２１は、その他にも多様な金属または導電物質からなることができる。
ゲート線１２１の側面は絶縁基板１１０の面に対して傾いていて、その傾斜角は約３０゜〜約８０゜であるのが好ましい。
【００３５】
ゲート線１２１上には、窒化ケイ素（ＳｉＮｘ）または酸化ケイ素（ＳｉＯｘ）などからなるゲート絶縁膜（ｇａｔｅ  ｉｎｓｕｌａｔｉｎｇ  ｌａｙｅｒ）１４０が形成されている。
ゲート絶縁膜１４０上には、水素化アモルファスシリコン（ｈｙｄｒｏｇｅｎａｔｅｄ  ａｍｏｒｐｈｏｕｓ  ｓｉｌｉｃｏｎ）（アモルファスシリコンは略してａ−Ｓｉとする）または多結晶シリコン（ｐｏｌｙｓｉｌｉｃｏｎ）などからなる複数の島型半導体１５４が形成されている。島型半導体１５４は、ゲート電極１２４上に位置する。
【００３６】
各々の島型半導体１５４上には、一対の島型オーミックコンタクト（ｏｈｍｉｃ  ｃｏｎｔａｃｔ）１６３、１６５が形成されている。島型オーミックコンタクト１６３、１６５は、リンなどのｎ型不純物が高濃度にドーピングされているｎ＋水素化アモルファスシリコンなどの物質からなったり、シリサイド（ｓｉｌｉｃｉｄｅ）からなることができる。
島型半導体１５４及び島型オーミックコンタクト１６３、１６５の側面も絶縁基板１１０の面に対して傾いていて、その傾斜角は３０゜〜８０゜程度であるのが好ましい。
【００３７】
島型オーミックコンタクト１６３、１６５及びゲート絶縁膜１４０上には、複数のデータ線（ｄａｔａ  ｌｉｎｅ）（１７１ａ〜１７１ｃ）及び複数対のドレイン電極（ｄｒａｉｎ  ｅｌｅｃｔｒｏｄｅ）１７５を含むデータ導電体が形成されている。
データ線（１７１ａ〜１７１ｃ）は、データ信号を伝達し、主に縦方向にのびて、ゲート線１２１と交差している。各データ線（１７１ａ〜１７１ｃ）は、ゲート電極１２４に向かって各々のびて、Ｕ字型にわい曲した複数のソース電極（ｓｏｕｒｃｅ  ｅｌｅｃｔｒｏｄｅ）１７３、及び他の層またはデータ駆動部５００との接続のために面積が広い端部１７９を含む。データ駆動部５００が絶縁基板１１０上に集積されている場合には、データ線（１７１ａ〜１７１ｃ）がのびて、これと直接接続される。
【００３８】
ドレイン電極１７５は、互いに分離されていて、データ線（１７１ａ〜１７１ｃ）とも分離されている。ドレイン電極１７５は、ゲート電極１２４を中心にしてソース電極１７３と対向する。ドレイン電極１７５は、ソース電極１７３で一部囲まれた一側端から始まって上にまっすぐにのびている。
ゲート電極１２４、ソース電極１７３、及びドレイン電極１７５は、島型半導体１５４と共に薄膜トランジスタ（ｔｈｉｎ  ｆｉｌｍ  ｔｒａｎｓｉｓｔｏｒ、ＴＦＴ）（Ｑ）を構成し、薄膜トランジスタ（Ｑ）のチャンネル（ｃｈａｎｎｅｌ）は、ソース電極１７３及びドレイン電極１７５の間の島型半導体１５４に形成される。
【００３９】
データ導電体（１７１ａ〜１７１ｃ、１７５）は、モリブデン、クロム、タンタル、及びチタニウムなどの耐火性金属（ｒｅｆｒａｃｔｏｒｙ  ｍｅｔａｌ）、またはこれらの合金からなるのが好ましく、耐火性金属膜（図示せず）及び低抵抗導電膜（図示せず）を含む多重膜構造からなることもできる。多重膜構造の例としては、クロムまたはモリブデン（合金）の下部膜及びアルミニウム（合金）の上部膜の二重膜や、モリブデン（合金）の下部膜、アルミニウム（合金）の中間膜、及びモリブデン（合金）の上部膜の三重膜がある。しかし、データ導電体（１７１ａ〜１７１ｃ、１７５）は、その他にも多様な金属または導電物質からなることができる。
データ導電体（１７１ａ〜１７１ｃ、１７５）の側面も絶縁基板１１０の面に対して傾いていて、その傾斜角は３０゜〜８０゜程度であるのが好ましい。
【００４０】
島型オーミックコンタクト１６３、１６５は、その下の島型半導体１５４及びその上のデータ導電体（１７１ａ〜１７１ｃ、１７５）の間にだけ位置して、これらの間の接触抵抗を低くする。島型半導体１５４には、ソース電極１７３及びドレイン電極１７５の間をはじめとして、データ導電体（１７１ａ〜１７１ｃ、１７５）で覆われずに露出された部分がある。
【００４１】
データ導電体（１７１ａ〜１７１ｃ、１７５）及び露出された島型半導体１５４の部分上には、保護膜（ｐａｓｓｉｖａｔｉｏｎ  ｌａｙｅｒ）１８０が形成されている。保護膜１８０は、より低い誘電率を有して厚さを厚く形成することができる有機絶縁物からなることができる。これによって、画素電極１９１（１９１ａ、１９１ｂ、１９１ｃ）及びデータ線（１７１ａ〜１７１ｃ）がオーバーラップしても、画素電極１９１（１９１ａ、１９１ｂ、１９１ｃ）及びデータ線（１７１ａ〜１７１ｃ）の間を絶縁して、寄生容量が形成されるのを防止することができる。有機絶縁物は、４．０以下の比誘電率を有するのが好ましく、感光性（ｐｈｏｔｏｓｅｎｓｉｔｉｖｉｔｙ）を有することもできる。また、保護膜１８０は、無機絶縁物からなることもでき、有機膜の優れた絶縁特性を生かしつつ、露出した島型半導体１５４の部分に影響を及ぼさないように、下部無機膜及び上部有機膜の二重膜構造からなることもできる。
【００４２】
保護膜１８０には、データ線（１７１ａ〜１７１ｃ）の端部１７９を露出する複数の接触孔（ｃｏｎｔａｃｔ  ｈｏｌｅ）１８２、ドレイン電極１７５を露出する複数の接触孔１８５が形成されている。保護膜１８０及びゲート絶縁膜１４０には、ゲート線１２１の端部１２９を露出する複数の接触孔１８１が各々形成されている。
保護膜１８０上には、複数の画素電極（ｐｉｘｅｌ  ｅｌｅｃｔｒｏｄｅ）１９１（１９１ａ、１９１ｂ、１９１ｃ）及び複数の接触補助部材（ｃｏｎｔａｃｔ  ａｓｓｉｓｔａｎｔ）８１、８２が形成されている。これらは、ＩＴＯまたはＩＺＯなどの透明な導電物質や、アルミニウム、銀、クロム、またはその合金などの反射性金属からなることができる。
【００４３】
各画素電極１９１（１９１ａ、１９１ｂ、１９１ｃ）は、傾斜方向が互いに異なる２つの平行四辺形の電極片を含み、２つの電極片の一辺が連結されて、一度屈曲した一対の屈曲縁（辺）（ｃｕｒｖａｔｕｒｅ  ｅｄｇｅ）を構成する。
より詳細に説明すれば、画素電極１９１（１９１ａ、１９１ｂ、１９１ｃ）の各々は、少なくとも図６（ａ）に示す平行四辺形の電極片１９６の１つ及び図６（ｂ）に示す平行四辺形の電極片１９７の１つを含む。
【００４４】
図６（ａ）及び（ｂ）に示すように、電極片１９６、１９７の各々は、一対の斜辺（ｏｂｌｉｑｕｅ  ｅｄｇｅ）１９６ｏ、１９７ｏ及び一対の横辺（ｔｒａｎｓｖｅｒｓｅ  ｅｄｇｅ）１９６ｔ、１９７ｔを含んで、ほぼ平行四辺形である。各斜辺１９６ｏ、１９７ｏは、横辺１９６ｔ、１９７ｔに対して斜角（ｏｂｌｉｑｕｅ  ａｎｇｌｅ）を構成し、斜角の大きさは、ほぼ４５度〜１３５度であるのが好ましい。便宜上、横辺１９６ｔ、１９７ｔを基準にし垂直な状態からの傾斜方向によって区分して、図６（ａ）のように右側に傾くことを右傾斜といい、図６（ｂ）のように左に傾くことを左傾斜という。
【００４５】
一方、データ線（１７１ａ〜１７１ｃ）は、画素電極の屈曲縁（辺）に沿って実質的に同一な形態に形成されている。また、１つの画素電極（例えば、１９１ａ）を基準にして、少なくとも２つのデータ線（例えば、１７１ｂ、１７１ｃ）が画素電極１９１ａとオーバーラップして、少なくとも１つのデータ線（例えば、１７１ａ）は行方向に隣接する画素電極の間に配置されている。
【００４６】
画素電極１９１（１９１ａ、１９１ｂ、１９１ｃ）は、接触孔１８５を通じてドレイン電極１７５と接続されている。
画素電極１９１（１９１ａ、１９１ｂ、１９１ｃ）及び共通電極表示板２００の共通電極２７０は、その間の液晶層３の部分と共に液晶キャパシタ（Ｃｌｃ）を構成して、薄膜トランジスタ（Ｑ）がターンオフされた後にも印加された電圧を維持する。
【００４７】
接触補助部材８１、８２は、各々接触孔１８１、１８２を通じてゲート線１２１の端部１２９及びデータ線（１７１ａ〜１７１ｃ）の端部１７９と接続される。接触補助部材８１、８２は、ゲート線１２１の端部１２９及びデータ線（１７１ａ〜１７１ｃ）の端部１７９と外部装置との接続性を補完して、これらを保護する。
【００４８】
次に、共通電極表示板２００について説明する。
透明なガラスまたはプラスチックなどからなる絶縁基板２１０上（図４上では下に、以下同様）に遮光部材（ｌｉｇｈｔ  ｂｌｏｃｋｉｎｇ  ｍｅｍｂｅｒ）２２０が形成されている。遮光部材２２０は、画素電極１９１（１９１ａ、１９１ｂ、１９１ｃ）の屈曲縁（辺）に対応する屈曲部（図示せず）及び薄膜トランジスタに対応する四角形の部分（図示せず）を含み、画素電極１９１（１９１ａ、１９１ｂ、１９１ｃ）の間の光漏れを防止して、画素電極１９１（１９１ａ、１９１ｂ、１９１ｃ）と対向する開口領域を定義する。
【００４９】
絶縁基板２１０及び遮光部材２２０上には、上部膜（ｏｖｅｒｃｏａｔ）２５０が形成されている。上部膜２５０は、有機絶縁物からなることができ、平坦面を提供する。上部膜２５０は、省略することもできる。
上部膜２５０上には、共通電極２７０が形成されている。共通電極２７０は、ＩＴＯ、ＩＺＯなどの透明な導電物質などからなって、複数の切開部７１ａ、７２ａ、７３ａ、７１ｂ、７２ｂ、７３ｂ、７３ａ、７３ｂ、７３ｃが形成されている。切開部７１ａ〜ｃ、７２ａ〜ｃ、７３ａ〜ｃは、画素電極の屈曲縁（辺）に沿って実質的に平行に形成されている。
【００５０】
切開部７１ａ〜ｃ、７２ａ〜ｃ、７３ａ〜ｃの数は、設計要素によって変更することができ、遮光部材２２０が切開部７１ａ〜ｃ、７２ａ〜ｃ、７３ａ〜ｃとオーバーラップして、切開部７１ａ〜ｃ、７２ａ〜ｃ、７３ａ〜ｃ付近の光漏れを遮断することもできる。
表示板（１００、２００）の内側面には、配向膜（ａｌｉｇｎｍｅｎｔ  ｌａｙｅｒ）１１、２１が形成され、これらは垂直配向膜であるのが好ましい。
【００５１】
表示板（１００、２００）の外側面には、偏光板（ｐｏｌａｒｉｚｅｒ）（図示せず）が付着され、２つの偏光板の偏光軸は直交して、副画素電極１９１ａ、１９１ｂの屈曲縁（辺）と約４５゜の角度をなすのが好ましい。反射型液晶表示装置の場合には、２つの偏光板のうちの１つを省略することができる。
液晶表示装置は、偏光板１２、２２、位相遅延膜、表示板（１００、２００）、及び液晶層３に光を供給するバックライトユニット（ｂａｃｋｌｉｇｈｔ  ｕｎｉｔ）（図示せず）を含むことができる。
【００５２】
液晶層３は、負の誘電率異方性を有し、液晶層３の液晶分子は、電場が生成されない状態で、その長軸が２つの表示板の表面に対して垂直をなすように配向されている。
切開部７１ａ〜ｃ、７２ａ〜ｃ、７３ａ〜ｃは、突起（ｐｒｏｔｒｕｓｉｏｎ）（図示せず）や陥没部（ｄｅｐｒｅｓｓｉｏｎ）（図示せず）で代替することもできる。突起は、有機物または無機物からなることができ、電場生成電極（１９１、２７０）上または下に配置される。
【００５３】
次に、このような液晶表示装置の動作について、図７及び上記で説明した図１を参照して詳細に説明する。
図７は本発明の一実施形態による液晶表示装置のゲート信号を示した波形図である。
【００５４】
信号制御部６００は、外部装置（図示せず）から入力画像信号（Ｒ、Ｇ、Ｂ）及びその表示を制御する入力制御信号の印加を受ける。入力画像信号（Ｒ、Ｇ、Ｂ）は、各画素（ＰＸ）の輝度（ｌｕｍｉｎａｎｃｅ）情報を含み、輝度は、決められた数、例えば１０２４（＝２１０）、２５６（＝２８）、または６４（＝２６）個の階調（ｇｒａｙ）を有している。入力制御信号の例としては、垂直同期信号（Ｖｓｙｎｃ）及び水平同期信号（Ｈｓｙｎｃ）、メインクロック信号（ＭＣＬＫ）、データイネーブル信号（ＤＥ）などがある。
【００５５】
信号制御部６００は、入力画像信号（Ｒ、Ｇ、Ｂ）及び入力制御信号に基づいて入力画像信号（Ｒ、Ｇ、Ｂ）を液晶表示板組立体３００の動作条件に合うように適切に処理して、ゲート制御信号（ＣＯＮＴ１）及びデータ制御信号（ＣＯＮＴ２）などを生成した後、ゲート制御信号（ＣＯＮＴ１）をゲート駆動部４００に出力し、データ制御信号（ＣＯＮＴ２）及び処理したデジタル画像信号（ＤＡＴ）をデータ駆動部５００に出力する。
【００５６】
ゲート制御信号（ＣＯＮＴ１）は、走査開始を指示する走査開始信号（ＳＴＶ）やゲートオン電圧（Ｖｏｎ）の出力を制御する少なくとも１つのクロック信号を含む。ゲート制御信号（ＣＯＮＴ１）は、また、ゲートオン電圧（Ｖｏｎ）の持続時間を限定する出力イネーブル信号（ＯＥ）をさらに含むことができる。
データ制御信号（ＣＯＮＴ２）は、１つのゲート線群と接続された複数の画素行（以下、画素行群とする）に対する画像信号の伝送開始を知らせる水平同期開始信号（ＳＴＨ）、データ線（Ｄ１１、Ｄ１２、Ｄ１３、Ｄ２１、・・・、Ｄｍ３）にデータ信号の印加を指示するロード信号（ＬＯＡＤ）、及びデータクロック信号（ＨＣＬＫ）を含む。
【００５７】
データ制御信号（ＣＯＮＴ２）は、また、共通電圧（Ｖｃｏｍ）に対するデータ信号の電圧極性（以下、「共通電圧に対するデータ信号の電圧極性」を略して「データ信号の極性」とする）を反転させる反転信号（ＲＶＳ）をさらに含むことができる。
光源制御信号（ＣＯＮＴ３）は、光源部９５０の各赤色、緑色、及び青色用光源を当該時期に点灯させる制御信号を含む。
【００５８】
データ駆動部５００は、信号制御部６００からのデータ制御信号（ＣＯＮＴ２）によって、１つの画素行群に対するデジタル画像信号（ＤＡＴ）の印加を受けて、各デジタル画像信号（ＤＡＴ）に対応する階調電圧を選択することによって、デジタル画像信号（ＤＡＴ）をアナログデータ信号に変換した後、これを当該データ線（Ｄ１１、Ｄ１２、Ｄ１３、Ｄ２１、・・・、Ｄｍ３）に印加する。
【００５９】
ゲート駆動部４００は、信号制御部６００からのゲート制御信号（ＣＯＮＴ１）によって、ゲートオン電圧（Ｖｏｎ）を第１ゲート線群から最後のゲート線群まで順次に印加して、全てのゲート線（Ｇ１１、Ｇ１２、Ｇ１３、Ｇ２１、・・・、Ｇｎ３）と接続されたスイッチング素子（Ｑ）を導通させる。そうすると、データ線（Ｄ１１、Ｄ１２、Ｄ１３、Ｄ２１、・・・、Ｄｍ３）に印加されたデータ信号が導通したスイッチング素子（Ｑ）を通じて当該画素に印加される。上記で説明したように、同一のゲート線群に属するゲート線には同一のゲート信号（ｇ１１、ｇ１２、ｇ１３、ｇ２１、ｇ２２、ｇ２３）が印加されるので、図７に示したように、同一のゲート線群に属するゲート線（Ｇ１１、Ｇ１２、Ｇ１３）（Ｇ２１、Ｇ２２、Ｇ２３）には、同時にゲートオン電圧（Ｖｏｎ）が印加される。
【００６０】
このようなデータ信号の走査動作が行われる間に、光源駆動部９１０は、信号制御部６００からの光源制御信号（ＣＯＮＴ３）によって、光源部９５０の各光源を点灯させるが、３つのサブフレームの間に赤色、緑色、及び青色用光源を順次に点灯させる。この時、サブフレームの時間は、１つのフレームの時間の約１／３である。
【００６１】
したがって、赤色用光源が点灯されるサブフレームの間に、第１ゲート線群から最後のゲート線群に順次にゲートオン電圧（Ｖｏｎ）が印加されて、データ線（Ｄ１１、Ｄ１２、Ｄ１３、Ｄ２１、・・・、Ｄｍ３）には赤色用画像信号（Ｒ）に対応する赤色用データ電圧が印加され、緑色用光源が点灯される次のサブフレームの間に、再び第１ゲート線群から最後のゲート線群に順次にゲートオン電圧（Ｖｏｎ）が印加されて、データ線（Ｄ１１、Ｄ１２、Ｄ１３、Ｄ２１、・・・、Ｄｍ３）には緑色用画像信号（Ｇ）に対応する緑色用データ電圧が印加され、青色用光源が点灯される次のサブフレームの間に、第１ゲート線群から最後のゲート線群に順次にゲートオン電圧（Ｖｏｎ）が印加されて、データ線（Ｄ１１、Ｄ１２、Ｄ１３、Ｄ２１、・・・、Ｄｍ３）には青色用画像信号（Ｂ）に対応する青色用データ電圧が印加されて、赤色、緑色、及び青色用データ電圧を全て印加して、１フレームの画像を表示する。
【００６２】
この時、３つのゲート線に同時にゲートオン電圧（Ｖｏｎ）を印加するので、１つのサブフレームの間に各ゲート線（Ｇ１１、Ｇ１２、Ｇ１３、Ｇ２１、・・・、Ｇｎ３）に印加されるゲートオン電圧（Ｖｏｎ）は、約１水平周期［１Ｈともいい、１水平周期は水平同期信号（Ｈｓｙｎｃ）及びデータイネーブル信号（ＤＥ）の一周期と同一である］の間維持される。つまり、１つのフレームの間に、赤色、緑色、及び青色用光源の点灯時期に合せて赤色、緑色、及び青色用画像信号（Ｒ、Ｇ、Ｂ）に対応する赤色、緑色、及び青色用データ電圧を３つのサブフレームの間、印加するが、各赤色、緑色、及び青色用データ電圧の充電時間は、カラーフィルタを利用した空間分割方式で色相を表示する場合の充電時間とほぼ同一である。
【００６３】
画素（ＰＸ）に印加されたデータ電圧及び共通電圧（Ｖｃｏｍ）の差は、液晶キャパシタ（Ｃｌｃ）の充電電圧、つまり画素電圧として現れる。液晶分子は、画素電圧の大きさによってその配向が異なり、それによって、液晶層３を通過する光の偏光も変化する。このような偏光の変化は、表示板組立体３００に付着された偏光板によって光の透過率の変化として現れて、これによって所望の画像を表示することができる。
【００６４】
液晶分子の配向方向は、一次的に共通電極２７０の切開部７１ａ〜ｃ、７２ａ〜ｃ、７３ａ〜ｃ及び画素電極１９１の辺が主電場を歪曲して形成する水平成分によって決定される。このような主電場の水平成分は、切開部７１ａ〜ｃ、７２ａ〜ｃ、７３ａ〜ｃの辺及び画素電極１９１の辺とほぼ垂直である。
切開部７１ａ〜ｃ、７２ａ〜ｃ、７３ａ〜ｃによって分割された各副領域上の液晶分子は、周辺に対してほぼ垂直な方向に傾くので、傾斜方向は複数である。このように、液晶分子が傾斜方向を多様にすると、液晶表示装置の基準視野角が大きくなる。
【００６５】
１フレームが終わると次のフレームが始まって、各画素（ＰＸ）に印加されるデータ信号の極性が直前のフレームで各画素に印加されるデータ信号の極性と反対になるように、データ駆動部５００に印加される反転信号（ＲＶＳ）の状態が制御される（フレーム反転）。この時、１つのフレーム内でも、反転信号（ＲＶＳ）の特性によって、１つのデータ線を通じて流れるデータ信号の極性が反転したり（例：行反転、点反転）、１つの画素行に印加されるデータ信号の極性が互いに反転することがある（例：列反転、点反転）。
【００６６】
次に、図８を参照して、本発明の他の実施形態による液晶表示板組立体について説明する。
図８は本発明の他の実施形態による液晶表示装置の液晶表示板組立体を示した配置図である。
【００６７】
図８を参照すれば、本実施形態による液晶表示板組立体は、薄膜トランジスタ表示板（図示せず）、共通電極表示板（図示せず）、及びその間に形成されている液晶層（図示せず）を含む。
本実施形態による液晶表示板組立体の層状構造は、図３〜図５に示した液晶表示板組立体の層状構造とほぼ同一である。
【００６８】
薄膜トランジスタ表示板について説明すると、絶縁基板（図示せず）上に複数のゲート線１２１を含むゲート導電体が形成されている。ゲート線１２１は、各々ゲート電極１２４及び端部１２９を含む。ゲート導電体１２１上には、ゲート絶縁膜（図示せず）が形成されている。ゲート絶縁膜上には、複数の半導体１５４が形成されていて、その上には、複数のオーミックコンタクト（図示せず）が形成されている。オーミックコンタクト上には、複数のデータ線（１７１ａ〜１７１ｃ）及び複数のドレイン電極１７５を含むデータ導電体が形成されている。
【００６９】
データ線（１７１ａ〜１７１ｃ）は、複数のソース電極１７３及び端部１７９を含む。データ導電体（１７１、１７５）及び露出した半導体１５４の部分上には、保護膜（図示せず）が形成されており、保護膜及びゲート絶縁膜には、複数の接触孔１８１、１８２、１８５が形成されている。保護膜上には、複数の画素電極１９１（１９１ａ、１９１ｂ、１９１ｃ）及び複数の接触補助部材８１、８２が形成されている。画素電極１９１（１９１ａ、１９１ｂ、１９１ｃ）、接触補助部材８１、８２、及び保護膜上には、配向膜（図示せず）が形成されている。
【００７０】
共通電極表示板について説明すると、絶縁基板上に遮光部材、上部膜、切開部が形成されている共通電極、そして配向膜が形成されている。
しかし、本実施形態による液晶表示板組立体は、画素電極１９１（１９１ａ、１９１ｂ、１９１ｃ）に複数の切開部（９１ａ、９２ａ、９１ｂ、９２ｂ、９１ｃ、９２ｃ）が形成されている。切開部（９１ａ、９２ａ、９１ｂ、９２ｂ、９１ｃ、９２ｃ）は、画素電極とオーバーラップするデータ線（１７１ａ〜１７１ｃ）を露出させる。
【００７１】
つまり、画素電極１９１（１９１ａ、１９１ｂ、１９１ｃ）の屈曲部に沿って形成されているデータ線（１７１ａ〜１７１ｃ）と実質的に平行に形成されている。これによって、画素電極１９１（１９１ａ、１９１ｂ、１９１ｃ）及びデータ線（１７１ａ〜１７１ｃ）のオーバーラップ面積を最少化することができる。したがって、画素電極１９１（１９１ａ、１９１ｂ、１９１ｃ）と接続されていないデータ線（１７１ａ〜１７１ｃ）を通じて流れるデータ信号によって画素電極１９１（１９１ａ、１９１ｂ、１９１ｃ）の電圧が変化するのを防止することができる。
【００７２】
尚、本発明は、上述の実施例に限られるものではない。本発明の技術的範囲から逸脱しない範囲内で多様に変更実施することが可能である。
【図面の簡単な説明】
【００７３】
【図１】本発明の一実施形態による液晶表示装置のブロック図である。
【図２】本発明の一実施形態による液晶表示装置の１つの画素に対する等価回路図である。
【図３】本発明の一実施形態による液晶表示装置の液晶表示板組立体の配置図である。
【図４】図３に示した液晶表示板組立体のＩＶ−ＩＶ線に沿って切断した断面図である。
【図５】図３に示した液晶表示板組立体のＶ−Ｖ線に沿って切断した断面図である。
【図６】（ａ）及び（ｂ）は本発明の一実施形態による液晶表示装置の液晶表示板組立体の画素電極を示した平面図である。
【図７】本発明の一実施形態による液晶表示装置のゲート信号を示した波形図である。
【図８】本発明の他の実施形態による液晶表示装置の液晶表示板組立体の配置図である。
【符号の説明】
【００７４】
３        液晶層
７１ａ〜ｃ、７２ａ〜ｃ、７３ａ〜ｃ    （共通電極の）切開部
８１、８２    接触補助部材
９１ａ、９２ａ、９１ｂ、９２ｂ、９１ｃ、９２ｃ    （画素電極の）切開部
１００      下部表示板（薄膜トランジスタ表示板）
１１０、２１０    絶縁基板
１２１（１２１ａ、１２１ｂ、１２１ｃ）      ゲート線
１２４      ゲート電極
１４０    ゲート絶縁膜
１５４    （島型）半導体
１６３、１６５    （島型）オーミックコンタクト
１７１ａ〜１７１ｃ    データ線
１７３      ソース電極
１７５      ドレイン電極
１８０      保護膜
１９１（１９１ａ、１９１ｂ、１９１ｃ）    画素電極
１９６、１９７    電極片
１８１、１８２、１８５    接触孔
２００    上部表示板（共通電極表示板）
２２０    遮光部材
２５０    上部膜
２７０    共通電極
３００    液晶表示板組立体
４００    ゲート駆動部
５００    データ駆動部
６００    信号制御部
８００    階調電圧生成部
９１０    光源駆動部
９５０    光源部
【図１】
2007226243.tif 000003
【図２】
2007226243.tif 000004
【図３】
2007226243.tif 000005
【図４】
2007226243.tif 000006
【図５】
2007226243.tif 000007
【図６】
2007226243.tif 000008
【図７】
2007226243.tif 000009
【図８】
2007226243.tif 000010